(57)【要約】      （修正有）【課題】基布テープの全長に亘って比較的薄い同一厚さに形成されており、バック布に取り付けて着用した時に肌当たりが良く圧迫感や違和感がなく、薄いアウターウエアーを着用してもテープ部分の盛り上がりが目立つことのない外観優美な雌雄係止具付きテープを提供する。【解決手段】長さ方向の一定間隔毎にループ部２ａを有する雌係止具２を取り付けた基布テープ１ａと、その雌係止具２のループ部２ａと係止するフック部３ａを有する雄係止具３を取り付けた基布テープ１ｂとからなる雌雄係止具付きテープであって、基布テープ１ａ、１ｂと一体的に編み込み又は織り込みされた細幅テープ４を幅方向に設ける。【選択図】図１
0003103451.tif 000002
【実用新案登録請求の範囲】
【請求項１】
長さ方向の一定間隔毎にループ部を有する雌係止具を取り付けた基布テープと、その雌係止具のループ部と係止するフック部を有する雄係止具を取り付けた基布テープとからなる雌雄係止具付きテープであって、基布テープと一体的に編み込み又は織り込みされた細幅テープを幅方向に設けたことを特徴とする雌雄係止具付きテープ。
【請求項２】
雌係止具は基布テープの長さ方向に複数段設けてあり、ループ部を外面に突出すると共に、取り付け環を細幅テープで被覆されている請求項１に記載の雌雄係止具付きテープ。
【請求項３】
細幅テープの上下端縁がほつれないように編み込みまたは織り込みされている請求項１または２に記載の雌雄着脱具付きテープ。
【考案の詳細な説明】
【技術分野】
【０００１】
本考案は、ブラジャー、ブラスリップ、ボディスーツ等のファンデーション、インナーウエアー、アウターウエアーおよびレオタード、水着などの背面部に取り付けられる雌雄係止具付きテープに関するものである。
【背景技術】
【０００２】
従来、ブラジャー、ブラスリップ、ボディスーツ等のファンデーションには、通常、着脱のために前部の左右カップ布と連設して側脇部から背面部にかけて延びるバック布の一端部に金属線を屈曲加工したフック部を有する雄係止具と他端部にループ部を有する雌係止具を取り付けた一対の短片テープが縫着されており、雄係止具のフック部と雌係止具のループ部の係脱によって着脱している。
【０００３】
雌係止具付きテープには、ブラジヤーを着用する時に、着用者のバストサイズの大小に応じて長さを調整できるように、長さ方向に一定間隔をおいて複数段に雌係止具を取り付けてあり、その係脱位置を変えることにより、着用者に対する締め付けを調整できるようになっている。
【０００４】
すなわち、図８，図９に示すように、基布テープ１1の上下両端部を内方に折り返し、その折り返し片１１ａ，１１ａの内面に芯生地１１ｂを介在することにより破損しない強度に仕上げ、その基布テープ１１の長さ方向に３段の雌係止具１２、１２、１２を被覆布１３で被覆してある。
【０００５】
そして、１段目の雌係止具１２ａは基布テープ１１の折り返し片１１ａの表面に縫着されて１段目の被覆布１３ａで被覆され、２段目の雌係止具１２ｂは１段目の被覆布１３ａの表面に縫着されて２段目の被覆布１３ｂで被覆され、３段目の雌係止具１２ｃは２段目の被覆布１３ｂの表面に縫着されて３段目の被覆布１３ｃで被覆された雌係止具付きテープが知られている。（例えば、特許文献１）
【特許文献１】実開昭４９−５２７１１号公報
【０００６】
一方、前記のように構成された雌係止具付きテープと係止する雄係止具付きテープは、図１０、図１１に示すように、雌係止具付きテープと同様に、基布テープ１１の上端部を内方に折り返し、その折り返し片１１ａの内面に芯生地１１ｂを介在することにより破損しない強度に仕上げ、一端部にフック部を有する雄係止具２２を被覆布１３で被覆してある。
【考案の開示】
【考案が解決しようとする課題】
【０００７】
しかしながら、上記の雌係止具付きテープは、基布テープ１１の上下両端部を折り返し片１１ａ，１１ａに形成し、その内面に芯生地１１ｂを介在してあるから、基布１１の厚さが分厚くなり、また被覆布１３ａ，１３ｂ，１３ｃもその上端縁をほつれないように折り曲げ片１３ａ’，１３ｂ’，１３ｃ’を形成し、その折り曲げ片１３ａ’，１３ｂ’，１３ｃ’を縫着糸１４で縫いつけてあると共に、基布テープ１１の折り返し片１１ａの上面に第１被覆布１３ａが重合し、第１被覆布１３ａの上面に第２被覆布１３ｂが重なり、さらに第２被覆布１３ｂの上面に第３被覆布１３ｃが重合し下方になるにつれて分厚くなっていることから、ブラジャー等のバック布に縫着して着用した場合にゴツゴツ感があって肌当たりが悪く、圧迫感や違和感があると共に、比較的薄いアウターウエアーを着用すると、外部からその部分の盛り上がりが見えて不体裁となる問題点があった。
【０００８】
また、上記の雌係止具付きテープは、雌係止具１２を取り付ける事前に基布テープ１１および被覆布１３を所定の寸法に裁断したり、折り目を付けて縫着し易くする準備を必要とし、布地を裁断する時のロスが多く発生して不経済であると言う問題点があった。
【０００９】
本考案は、上記のような問題点を解決することを課題として研究開発されたもので、基布テープの全長に亘って比較的薄い同一厚さに形成されており、バック布に取り付けて着用した時に肌当たりが良く圧迫感や違和感がなく、薄いアウターウエアーを着用してもテープ部分の盛り上がりが目立つことのない外観優美な雌雄係止具付きテープを提供することを目的とするものである。
【課題を解決するための手段】
【００１０】
上記の課題を解決し、その目的を達成する手段として、本考案は、長さ方向の一定間隔毎にループ部を有する雌係止具を取り付けた基布テープと、その雌係止具のループ部と係止するフック部を有する雄係止具を取り付けた基布テープとからなる雌雄係止具付きテープであって、基布テープと一体的に編み込み又は織り込みされた細幅テープを幅方向に設けたことを特徴とする雌雄係止具付きテープを開発し、採用した。
【００１１】
また、上記のように構成した雌雄係止具付きテープにおいて、雌係止具は基布テープの長さ方向に複数段設けてあり、ループ部を外面に突出すると共に、取り付け環を細幅テープで被覆されている雌雄係止具付きテープ、および細幅テープの上下端縁がほつれないように編み込み又は織り込みされている雌雄着脱具付きテープを開発し、採用した。
【考案の効果】
【００１２】
本考案は、雌係止具または雄係止具の取り付け環を被覆する細幅テープを基布テープと一体的に編成または織成されて幅方向に設けてあるから、従来のような面倒で手間のかかる細幅テープをミシンで縫着する必要がなくなる。また、細幅テープは折り返し片のない１枚の編地または織地で形成されているから、バック布に取り付けて着用した時の肌当りが良く圧迫感や違和感がなく、薄いアウターウエアーを着用してもその部分の盛り上がりが少なく目立たない。また、バストの大きさに応じて調整できると共に、細幅テープ間が１重のテープ基布であるから、雄係止具のフック部を雌係止具のループ部に係止する時に引っ掛けやすいように曲げることができる。さらに、繰り返し行われる洗濯や長期の使用に際しても、細幅テープの上下端縁がほつれることがない。
【考案を実施するための最良の形態】
【００１３】
以下に、本考案の第１実施の形態を添付の図１〜図５に基づいて説明すれば、本考案に係る雌雄係止具付きテープは、大別すると基布テープ１と、ループ部２ａを有する雌係止具２と、フック部３ａを有する雄係止具３と、雌雄係止具２，３の取り付け環２ｂ，３ｂを覆う細幅テープ４とで構成されている。
【００１４】
一方の基布テープ１ａと他方の基布テープ１ｂは共に細幅編物や細幅織物で形成されており、繰り返し行なわれる洗濯や長期の使用に際しても充分耐え得る強度をもつ生地からなっており雌係止具２および雄係止具３を縫着してある。
【００１５】
雌係止具２は、強度が強くて洗濯しても錆にくいステンレス系金属線を屈曲加工した公知形状の上部をループ部２ａに、下部を方形枠状に屈曲した取り付け環２ｂ，２ｂからなっている。その雌係止具２は基布テープ１ａの幅方向の左右に２個縫着すると共に、長さ方向に一定間隔をおいて３段取り付けられている。
【００１６】
雄係止具３は、雌係止具２と同様の強度が強くて洗濯しても錆にくいステンレス系金属線を屈曲加工した図４，図５に示すような公知形状の上部をフック部３ａに、下部を方形枠状に屈曲した取り付け環３ｂ，３ｂからなり、基布テープ１ｂの一端部の左右に２個取り付けられている。
【００１７】
細幅テープ４は、基布テープ１ａの上端部から長さ方向に一定の間隔で基布テープ１ａと一体的に編み込まれたり、織り込まれたものであり、上端部の細幅テープ４ａは長さ方向の全体に亘って一体になっているが、２段目、３段目の細幅テープ４ｂ，４ｃは下端縁のみが一体になり、４段目の細幅テープ４ｄは中央部のみが一体になっている。すなわち、２、３段目の細幅テープ４ｂ、４ｃの上端縁は遊離しており、４段目の細幅テープ４ｄの上下端縁は遊離している。そして、雌係止具２を基布テープ１ａと各細幅テープ４ｂ，４ｃ，４ｄの内面に入れ、雌係止具２，２の取り付け環２ｂ，２ｂと、各細幅４ｂ，４ｃ，４ｄを縫糸５，５で基布テープ１ａに縫着してある。
【００１８】
このように構成した雌雄係止具付きテープの使用状態を作用、効果と共に説明すると、従来と同様に、ブラジャー、ブラスリップ、ボディスーツ等のファンデーション、インナーウエアー、アウターウエアーおよびレオタード、水着などの掛け止め部の一側部に取り付けて用いることができる。
【００１９】
そして、基布テープ１と細幅テープ４が一体的に編み込み又は織り込まれているから、面度で手間のかかる細幅テープのミシン縫いによる縫製を省略することができ、各細幅テープ４ａ，４ｂ，４ｃ，４ｄにより基布テープの強度が増すと共に、腰があることから長期の使用に耐え得る。また、基布テープ１と細幅テープ４とも折り返し片のない一枚生地であるから、全体体的に薄く仕上がってブラジャーのバック布に取り付けて着用した時に圧迫感や違和感を生じることがない。
【００２０】
また、雌係止具２のループ部２ａが細幅テープ４と細幅テープ４間の基布テープ１の位置にあることから、基布テープ１ａから折り曲げやすくなり雄係止具３のフック部３ａを雌係止具２のループ部２ａに係止しやすくなる。
【００２１】
つぎに、図６、図７に示すのは本考案の第２実施の形態を示すもので、上記第１実施施の形態とは、細幅テープ４の上端縁を縫糸５で縫着することなく、遊離した点が相違しているだけであり、上記第１実施の形態で述べたテープ基布１、雌係止具２、細幅テープ４の構成は第１実施の形態と同一であるから、それらの説明を省略すると共に、同一部分には同じ符号を付してある。
【００２２】
このように構成した雌雄係止具付きテープは、上記第１実施の形態で述べた作用、効果に加えて、雌係止具２の取り付け環２ｂ，２ｂを基布テープ１ａに縫い付ける縫糸５，５が外面に現れないので外観がすっきりとした美麗なテープになる。
【００２３】
なお、前記第１，第２の実施の形態においては、雌係止具２を左右に２個取り付けると共に、長さ方向に３段設けた場合について説明したが、本発明は、これらの実施の形態に限定されるものではなく、１段の場合や２段の場合もあり、発明の目的を達成でき、かつ発明の要旨を逸脱しない範囲内において種々の設計変更が可能であることは当然のことである。
【産業上の利用可能性】
【００２４】
本考案は、ブラジャーだけでなく、ブラスリップ、ボディスーツ、レオタード、水着等に取り付けられる雌雄係止具付きテープにも利用できる。
【図面の簡単な説明】
【００２５】
【図１】第1実施の形態を示す雌係止具付きテープの正面図である。
【図２】図１の側面図である。
【図３】図１のＡ−Ａ線拡大断面図である。
【図４】雄係止具付きテープの正面図である。
【図５】図４のＢ−Ｂ線断面図である。
【図６】第２実施の形態を示す雌係止具付きテープの正面図である。
【図７】図６のＣ−Ｃ線拡大縦断面図である。
【図８】従来の雌係止具付きテープの正面図である。
【図９】図８のＤ−Ｄ線拡大縦断面図である。
【図１０】従来の雄係止具付きテープの正面図である。
【図１１】図１０のＥ−Ｅ線拡大縦断面図である。
【符号の説明】
【００２６】
１    基布テープ
２    雌係止具
２ａ  ループ部
２ｂ  取り付け環
３    雄係止具
３ａ  フック部
３ｂ  取り付け環
４    細幅テープ
【図１】
0003103451.tif 000003
【図２】
0003103451.tif 000004
【図３】
0003103451.tif 000005
【図４】
0003103451.tif 000006
【図５】
0003103451.tif 000007
【図６】
0003103451.tif 000008
【図７】
0003103451.tif 000009
【図８】
0003103451.tif 000010
【図９】
0003103451.tif 000011
【図１０】
0003103451.tif 000012
【図１１】
0003103451.tif 000013